(57)【要約】【課題】十分な強度を担保し得るとともに、安全性および製作性を向上させ得る開放式屈折形耐力壁を提供する。【解決手段】骨格部材１０５〜１０８を有する建築物に設けられる開放式屈折形耐力壁１０である。この開放式屈折形耐力壁１０は、骨格部材１０５〜１０８で囲われる開口部１０９に張られた第一斜状面１および第二斜状面２を備える。第一斜状面１は、２以上の部位が連結された棒状材を、並列に且つ水平に対して鋭角になるように骨格部材１０５〜１０７に付けられた受材１０８に多数掛けたものである。第二斜状面２は、２以上の部位が連結された棒状材を、並列に且つ水平に対して鈍角になるように骨格部材１０５〜１０８に多数掛けたものである。第一斜状面１および第二斜状面２は、開口部１０９の正面視で交差するように配置される。第一斜状面１の棒状材と第二斜状面２の棒状材とは、互いに非固着である。【選択図】図１
2019203363.tif 000002
【特許請求の範囲】
【請求項１】
骨格部材を有する建築物に設けられる開放式屈折形耐力壁であって、
前記第一斜状面が、２以上の部位を互いに連結した棒状材を、並列に且つ水平に対して鋭角になるように前記骨格部材に多数掛けたものであり、
前記第二斜状面が、２以上の部位を互いに連結した棒状材を、並列に且つ水平に対して鈍角になるように前記骨格部材に多数掛けたものであり、
前記第一斜状面および第二斜状面が、前記開口部の正面視で交差するように配置され、
前記第一斜状面の繊維製線材と第二斜状面の繊維製線材とが、互いに非固着であることを特徴とする開放式屈折形耐力壁。
【請求項２】
第一斜状面が、骨格部材で囲われる開口部の一方の面に張られたものであり、
第二斜状面が、前記開口部の他方の面に張られたものであることを特徴とする請求項１に記載の開放式屈折形耐力壁。
【請求項３】
第一斜状面の棒状材と第二斜状面の棒状材とが、外径１〜２０ｍｍであり、
前記棒状体の並列に配置された個々の線材部の隣り合う間隔が、２０〜４００ｍｍであり、
前記第一斜状面における棒状体の水平に対して配置された鋭角が、４０〜５０°であり、
前記第二斜状面における棒状体の水平に対して配置された鈍角が、１３０〜１４０°であることを特徴とする請求項１乃至２のいずれか一項に記載の開放式屈折形耐力壁。
【発明の詳細な説明】
【技術分野】
【０００１】  本発明は、開放式屈折形耐力壁に関するものである。
【背景技術】
【０００２】  開放式屈折形耐力壁は、家屋などの建築物に設けられ、優れた通気性および採光性のために開放式にされた壁であって、さらに変形防止機能性を有するものである（例えば、特許文献１参照）。特許文献１に記載の開放式耐力壁は、その段落［０００６］に記載されているように、複数本の斜めの鋼製で且つ外径が２．６〜１０．０ｍｍの範囲の小径棒材を所定間隔おいて互いに交叉させ、同交叉した箇所を溶接で強固に固着した金網を用いているので、通気性および採光性に優れるだけでなく、水平・上下震動の他、これらの複合振動にも耐えうる。【０００３】  一方で、一対の固定されたブラケットとそれらを交叉するように配置された棒状体を用いた開放式耐力壁も提案されている（例えば、特許文献２参照）。特許文献２に記載の開放式耐力壁は、棒状体とブラケットにねじ部を設けて棒状体を正逆回転させることで、棒状体に緊張力を付与し、耐力性を有する。
【先行技術文献】
【特許文献】
【０００４】
【特許文献１】特開２００４−３００７１５号公報
【特許文献２】特開２０１１−１０６２０２号公報
【発明の概要】
【発明が解決しようとする課題】
【０００５】  ところで、前記特許文献１および２に記載の開放式耐力壁は、いずれも耐力性に優れる、つまり十分な強度が担保されているものの、しかしここで用いられる鋼製の小径棒材や棒状体は、引張強度は高いが、圧縮強度は低いことから、圧縮時に大きく面外に歪曲変形するおそれがあるので、これら開放式耐力壁の安全性に改善の余地がある。【０００６】  また、前記特許文献１記載の開放式耐力壁は、その主要な構成部材である金網が工場で製作された後、現場まで運搬される必要がある。言い換えれば、これら開放式屈折形耐力壁は、現場で製作できないので、製作性にも改善の余地がある。【０００７】  そこで、本発明は、十分な強度を担保し得るとともに、安全性および製作性を向上させ得る開放式屈折形耐力壁を提供することを目的とする。
【課題を解決するための手段】
【０００８】  前記課題を解決するため、第１の発明に係る開放式屈折形耐力壁は、骨格部材を有する建築物に設けられる開放式屈折形耐力壁であって、
前記骨格部材で囲われる開口部に張られた第一斜状面および第二斜状面を備え、
前記第一斜状面が、２以上の部位を互いに連結した棒状材を、並列に且つ水平に対して鋭角になるように前記骨格部材に多数掛けたものであり、
前記第二斜状面が、２以上の部位を互いに連結した棒状材を、並列に且つ水平に対して鈍角になるように前記骨格部材に多数掛けたものであり、
前記第一斜状面および第二斜状面が、前記開口部の正面視で交差するように配置され、
前記第一斜状面の２以上の棒状材と第二斜状面の棒状材とが、互いに非固着であるものである。【０００９】  また、第２の発明に係る開放式屈折形耐力壁は、第１または第２の発明に係る開放式屈折形耐力壁における第一斜状面が、骨格部材で囲われる開口部の一方の面に張られたものであり、
第二斜状面が、前記開口部の他方の面に張られたものである。【００１０】  さらに、第３の発明に係る開放式屈折形耐力壁は、第１乃至第２のいずれかの発明に係る開放式屈折形耐力壁における第一斜状面の棒状材と第二斜状面の棒状材とが、いずれも、外径１〜２０ｍｍであり、
前記棒状体の並列に配置された個々の線材部の隣り合う間隔が、２０〜４００ｍｍであり、
前記第一斜状面における棒状体の水平に対して配置された鋭角が、４０〜５０°であり、
前記第二斜状面における棒状体の水平に対して配置された鈍角が、１３０〜１４０°であるものである。
【発明の効果】
【００１１】  前記開放式屈折形耐力壁によると、第一斜状面および第二斜状面が２以上の部位を互いに連結した棒状材からなるので、圧縮強度を連結部が屈折することにより開放するため、柔軟性を有するとともに、水平方向の力が第一斜状面および第二斜状面のいずれか一方にのみ作用し、他方に直接的に影響を与えないので、十分な強度を担保することができる。また、第一斜状面および第二斜状面は２以上の部位を互いに連結した棒状材を骨格部材に掛けたものであるから、寸法に合わせた棒状材を用意することで、現場での組立が可能になり、製作性を向上させることができる。さらに、２以上の部位を互いに連結した棒状材は連結部が破損しても、破損面が鋭利でない上に、破損した近傍が自重により垂れ下がって破損面を下に向けるので、安全性も向上させることができる。
【図面の簡単な説明】
【００１２】
【図１】本発明の実施の形態に係る開放式屈折形耐力壁の屋内側から見た正面図である。
【図２】図１のＡ−Ａ断面図である。
【図３】同開放式屈折形耐力壁に右方向の力が作用した場合を説明するための概略正面図である。
【図４】同開放式屈折形耐力壁に左方向の力が作用した場合を説明するための概略正面図である。
【図５】同開放式屈折形耐力壁の第一斜状面および第二斜状面の２以上の部位を互いに連結した棒状材の連結部を説明するための概略正面図１である。
【図６】同開放式屈折形耐力壁の第一斜状面および第二斜状面の２以上の部位を互いに連結した棒状材の連結部を説明するための概略正面図２である。
【図７】本発明の他実施の形態に係る開放式屈折形耐力壁の屋内側から見た正面図である。
【発明を実施するための形態】
【００１３】  以下、本発明の実施の形態に係る開放式屈折形耐力壁について図面に基づき説明する。なお、この説明に用いる図面のうち、図１は本実施の形態に係る開放式屈折形耐力壁の屋内側から見た正面図、図２は図１のＡ−Ａ断面図、図３は図１の右下部を拡大した拡大部分正面図、図４および図５は開放式屈折形耐力壁に水平方向の力が作用した場合を説明するための概略正面図である。また、前記図面のうち、図６〜図７は、同開放式屈折形耐力壁の第一斜状面および第二斜状面の２以上の部位を互いに連結した棒状材の連結部を説明するための概略正面図である。
【００１４】  まず、一般的な開放式屈折形耐力壁の概略について説明する。
【００１５】  開放式屈折形耐力壁は、骨格部材を有する建築物に設けられるものである。この骨格部材とは、家屋などの建築物の梁１０５、土台１０６および柱１０７などである。なお、家屋の壁が真壁の場合などでは、例えば図１に示すように、柱１０７の内側に設けられた受材１０８も、骨格部材となる。このような骨格部材１０５〜１０８で囲われた空間が、開口部１０９となる。
【００１６】  前記開口部１０９は、そのままの空間であれば建築物として耐力性に劣ることになる。この対策として、従来では、金網、パンチングメタルまたは筋交いなど、通気性および採光性に優れて強度部材となる面材を開口部１０９に張ることで、開放式で耐力性を有する壁（つまり開放式耐力壁）が構成されていた。
【００１７】  次に、本発明の実施の形態に係る開放式屈折形耐力壁１０、すなわち、十分な強度を担保し得るとともに、安全性および製作性を向上させ得る開放式屈折形耐力壁１０の構成について、図１〜図３に基づき詳細に説明する。
【００１８】  図１に示すように、この開放式屈折形耐力壁１０は、開口部１０９に張られて正面視が網のように見えるものとして、第一斜状面１および第二斜状面２を備える。すなわち、前記第一斜状面１および第二斜状面２は、前記開口部１０９の正面視で交差するように配置される。この開口部１０９は、梁１０５、土台１０６および２本の柱１０７ならびに受材１０８（いずれも骨格部材１０５〜１０８の一例である）で囲われた空間である。図２に示すように、第一斜状面１は開口部１０９の屋外側の面に張られたものであり、第二斜状面２は開口部１０９の屋内側の面に張られたものである。このため、屋内側から前記開放式屈折形耐力壁１０を見た図である図１では、第一斜状面１（屋外側）の周縁部が骨格部材１０５〜１０８に隠れて現れないが、第二斜状面２（屋内側）の全てが現れる。
【００１９】  前記開放式屈折形耐力壁１０は、第一斜状面１および第二斜状面２を開口部１０９に張るために、図２に示すように、受材１０８に設けられた多数の掛部３を有する。すなわち、これら多数の掛部３は、骨格部材１０５〜１０８に第一斜状面１および第二斜状面２を掛けるためものである。これら多数の掛部３は、梁１０５、土台１０６および２本の柱１０７の受材１０８それぞれにおいて、一列状で且つ等間隔にされることが好ましい。前記掛部３は、釘、ねじなどである。掛部３としての釘またはねじは、受材１０８に取り付けられるのが容易である上に、第一斜状面１および第二斜状面２が容易に掛けられるので、製作性を向上させるのに有利である。なお、掛部３は、釘、ねじのような別途の部材に限られず、受材１０８において第一斜状面１および第二斜状面２が直接掛けられるように形成された部分でもよい。なお、本実施の形態における多数とは、４つ以上を意味する。
【００２０】  前記第一斜状面１および第二斜状面２は、いずれも、２以上の部位を互いに連結した棒状材から構成される。ここで、棒状材とは、金属、合成繊維または合成樹脂からなる棒状線材を意味し、高強度な硬質合成樹脂製のもの（ガラス繊維など）も含まれる。また、棒状線材には、鉄線など金属を採用することが好ましい。鉄線は、入手が容易なので製作性に有利であり、強度も高いからである。なお、棒状線材は、鉄線に限られないが、以下では説明を簡単にするために、鉄線として説明する。
【００２１】  図１に示すように、前記第一斜状面１は、２以上の部位を互いに連結した鉄線を並列に且つ水平に対して鋭角αになるように、前記受材１０８に設けられた多数の掛部３に掛けたものである。同様に、前記第二斜状面２は、２以上の部位を互いに連結した鉄線を並列に且つ水平に対して鈍角βになるように、前記受材１０８に設けられた多数の掛部３に掛けたものである。このため、前記第一斜状面１および第二斜状面２は、それぞれ、２以上の部位を互いに連結した鉄線の並列に配置された多数の棒状材部４（棒状材部の一例である）からなる。なお、並列とは、並びつらなる状態を意味し、必ずしも平行まで限定して解釈されない。しかしながら、全ての棒状材部４を平行に配置する方が、強度の面で有利である。
【００２２】  前記第一斜状面１および第二斜状面２は、交差することで正面視が網のように見えるものの、互いに非固着であるから、直接的に影響を与える（互いに力を作用させ合う）ことはない。
【００２３】  ここで、前記鉄線は外径１〜２０ｍｍが好ましく、前記棒状材部４の隣り合う間隔は２０〜４００ｍｍが好ましく、前記第一斜状面１における鉄線の水平に対して配置された鋭角α（図１を参照）は４０〜５０°が好ましく、前記第二斜状面２における鉄線の水平に対して配置された鈍角β（図１を参照）は１３０〜１４０°が好ましい。このような鉄線の外径および配置を採用することで、想定される地震などから骨格部材１０５〜１０８に作用する力に対して強度の面で有利であるとともに、このような鉄線の入手が容易であるから製作性を向上させるのに有利である。
【００２４】  以下、地震などにより前記骨格部材１０５〜１０８および開放式屈折形耐力壁１０に水平方向（例えば、右方向または左方向）の力が作用した場合を、図３および図４に基づき説明する。
【００２５】  まず、図３の白抜矢印で示すように、前記骨格部材１０５〜１０８および開放式屈折形耐力壁１０が右方向の力を受けた場合について説明する。
【００２６】  この場合、第一斜状面１から、図３の黒塗矢印で示すように、梁１０５および右側の柱１０７Ｒが左下方向の力を受けるとともに、土台１０６および左側の柱１０７Ｌが右上方向の力を受ける。このような力により、梁１０５、土台１０６および柱１０７は、地震などから受ける右方向の力を第一斜状面１にも分担させる。
【００２７】  これに対して、第二斜状面２は、弛むことになるが、第二斜状面２の棒状材部４は棒状材連結部５により屈折するので、右方向の力に因って生じた圧縮強度が分担されない。
【００２８】  また、梁１０５、土台１０６および柱１０７は、地震などから受ける右方向の力が分担されない。また、この弛みが第一斜状面１に直接的に影響を与えることはない。
【００２９】  次に、図４の白抜矢印で示すように、前記骨格部材１０５〜１０８および開放式屈折形耐力壁１０が左方向の力を受けた場合について説明する。
【００３０】  この場合、第二斜状面２から、図４の黒塗矢印で示すように、梁１０５および左側の柱１０７Ｌが右下方向の力を受けるとともに、土台１０６および右側の柱１０７Ｒが左上方向の力を受ける。このような力により、梁１０５、土台１０６および柱１０７は、地震などから受ける左方向の力を第二斜状面２にも分担させる。
【００３１】  これに対して、第一斜状面１は、弛むことになるが、第二斜状面１の棒状材部４は棒状材連結部５により屈折するので、右方向の力に因って生じた圧縮強度が分担されない。
【００３２】  また、梁１０５、土台１０６および柱１０７は、地震などから受ける右方向の力が分担されない。また、この弛みが第一斜状面２に直接的に影響を与えることはない。
【００３３】  このように、前記開放式屈折形耐力壁１０によると、第一斜状面１および第二斜状面２が２以上の部位を互いに連結した鉄線からなるので屈折性を有するとともに、水平方向の力が第一斜状面１および第二斜状面２のいずれか一方にのみ作用し、他方に直接的に影響を与えないので、十分な強度を担保することができる。また、第一斜状面１および第二斜状面２は鉄線を骨格部材１０５〜１０８に掛けたものであるから、現場での製作が可能になり、製作性を向上させることができる。さらに、棒状材連結部が破損しても、破損面が鋭利でない上に、破損した近傍が自重により垂れ下がって破損面を下に向けるので、安全性も向上させることができる。
【００３４】  また、前述した鉄線の外径および配置を採用するので、一層十分な強度を担保することができるとともに、製作性を一層向上させることができる。
【００３５】  棒状材連結部５は、図５に示すように、鉄線で製作された部位同士をボルトなどの連結器具を用いて螺合してもよい。この構成であれば、図３（第二斜状面２の図示を省略する）に示すように水平方向の力を受けた場合、まずは掛部３と棒状材連結部５に接合された部位に力が分担され、その後に、棒状材連結部５に連結された近傍の部位に、力が分担される。
【００３６】  また、前記実施の形態では、図６に示すように、棒状材連結部５にボルトなどの連結器具を用いず、直接、部位同士を掛け合わせることで構成してもよい。
【００３７】  加えて、前記実施の形態では、壁が真壁（受材１０８を設ける）の場合として説明したが、壁が大壁（受材１０８を設けない）の場合、図７に示すように、梁１０５、土台１０６および２本の柱１０７に直接掛部３を配置してもよい。
【００３８】  また、前記実施の形態では、建築物の一例として家屋について説明したが、建築物であれば特に限定されるものではない。なお、建築物が軸組構造である場合、前記開放式屈折形耐力壁１０は一層適する。
【００３９】  また、前記実施の形態は、全ての点で例示であって制限的なものではない。本発明の範囲は、前述した説明ではなく特許請求の範囲によって示され、特許請求の範囲と均等の意味および範囲内での全ての変更が含まれることが意図される。なお、前記実施の形態で説明した構成のうち特許請求の範囲に記載した構成以外については、任意の構成であり、適宜削除および変更することが可能である。
【００４０】  なお、前記実施の形態での開放式屈折形耐力壁１０において、第一斜状面１および第二斜状面２の代わりに、あらかじめ工場などにおいて、２以上の部位を互いに連結した棒状材を、並列に且つ水平に対して鋭角になるように多数掛けたものからなる枠材（以下では略してパネルという）を用いてもよい。このパネルは、斜状に多数配置された棒状材部と、この棒状材部の外枠になる枠部とからなる。前記パネルでは、交叉する棒状材部が必ずしも互いに固着されている必要は無い。
【符号の説明】
【００４１】    １  第一斜状面
２  第二斜状面
３  掛部
４  棒状材部
５  棒状材連結部
１０  開放式屈折形耐力壁
１０５  梁
１０６  土台
１０７  柱
１０８  受材
１０９  開口部
【図１】
2019203363.tif 000003
【図２】
2019203363.tif 000004
【図３】
2019203363.tif 000005
【図４】
2019203363.tif 000006
【図５】
2019203363.tif 000007
【図６】
2019203363.tif 000008
【図７】
2019203363.tif 000009